(57)【特許請求の範囲】
【請求項１】
吸収体及び該吸収体の非肌当接面側に配された液不透過性の裏面シートを具備し、別体の吸収性物品の肌当接面側に配置されて使用される吸収性パッドであって、
前方部、中央部及び後方部を長手方向に有し、前記裏面シートを厚み方向に貫通する通液孔が、該前方部及び／又は該後方部に形成され、該中央部には形成されておらず、
前記裏面シートの非肌当接面側に液不透過性の第２の裏面シートが前記通液孔を覆うように配置されており、
前記裏面シートと前記第２の裏面シートとの間に、両裏面シート間が接合されていない非接合部が形成されており、該非接合部は、前記通液孔に対応する部分と該第２の裏面シートの吸収性パッド長手方向の一方の端部との間に亘って連続している吸収性パッド。
【請求項２】
前記裏面シートと前記第２の裏面シートとの間における、前記通液孔に対応する部分及びその周辺部に、パッド長手方向に延びる帯状の両裏面シートの接合部が、該パッド長手方向と直交するパッド幅方向に所定間隔を置いて複数配置されている請求項１記載の吸収性パッド。
【請求項３】
前記裏面シートと前記第２の裏面シートとの間に、パッド幅方向に延びる帯状の両裏面シートの第２の接合部が配置されており、前記接合部が、該第２の接合部を起点としてパッド長手方向に延びている請求項２記載の吸収性パッド。
【請求項４】
前記裏面シートは、前記通液孔よりも前記吸収性パッドの長手方向後端寄りに、その非肌当接面側が前記第２の裏面シートで被覆されていない非被覆部を有しており、該非被覆部の非肌当接面側に、前記吸収性パッドを別体の吸収性物品に固定する固定部が配置されている請求項１〜３の何れか１項に記載の吸収性パッド。
【請求項５】
前記吸収性パッドの長手方向の両側に一対の立体ギャザーが設けられており、該立体ギャザーは、該吸収性パッドの肌当接面側に起立する基壁部と、該基壁部の上端部に位置し且つ着用時に着用者の肌に当接する弾性伸縮部とを含んで構成され、且つ該弾性伸縮部が該吸収性パッドの肌当接面側に接合されている弾性伸縮部固定部を有しており、
前記通液孔が、前記弾性伸縮部固定部よりもパッド長手方向の内方に形成されている請求項１〜４の何れか１項に記載の吸収性パッド。
【発明の詳細な説明】
【技術分野】
【０００１】
本発明は、使い捨ておむつ等の吸収性物品と重ねて使用される吸収性パッドに関する。
【背景技術】
【０００２】
近年、尿等の排泄物の処理に伴う経済的、労力的な負担の軽減を目的として、吸収性パッドを、使い捨ておむつ等の吸収性物品と重ねて使用することが行われている。吸収性パッドを使用する目的の１つは、吸収性物品の交換頻度を低減することである。斯かる目的の達成のため、例えば、尿吸収用パッドは、老人や病人等が着用する使い捨ておむつの表面シートの上に配置され、失禁した尿を吸収保持させるのに使用される。排泄される尿の量が比較的少量の場合には、尿吸収用パッドのみを交換するだけで済み、使い捨ておむつの交換頻度を減らすことができる。
【０００３】
吸収性パッドを使用する他の目的の１つは、例えば夜間就寝中に使い捨ておむつを着用する場合のように、長時間に亘って吸収性物品を着用し続け、例えば吸収性物品だけでは吸収しきれないような多量の尿が排泄される場合等に、吸収性物品による尿の吸収を補助することである。従来の尿吸収用パッドは、その非肌当接面側に液不透過性の裏面シートを備えており、該裏面シートを使い捨ておむつ等の吸収性物品の表面シートに対向させて配置されるため、該尿吸収用パッドでは吸収しきれないような多量の尿が排泄された場合には、該尿吸収用パッドで吸収しきれなかった尿が吸収性物品の横から漏れ出し易いという問題があった。
【０００４】
このような横漏れの対策としては、尿吸収用パッドを頻繁に交換する方法、又は尿吸収用パッドの吸収体の吸収容量を大きくする方法がある。しかし、前者の方法では、介護者の労力が増える問題がある。また、後者の方法では、尿吸収用パッドの寸法が大きくなるため、装着しづらくなる等、取り扱いの点で問題が生じる。
【０００５】
吸収性パッドの改良技術に関し、例えば特許文献１には、吸収体と、吸収体の上側に積層された液透過性の表面シートと、吸収体の下側に積層された裏面シートとを備え、該裏面シートが排泄液の一部を透過し得る素材からなる使い捨て補助パッドが記載されている。特許文献１に記載の使い捨て補助パッドにおける前記裏面シートは、その略中央部に孔を有しており、この孔を通じて尿が該補助パッドの下に配置された吸収性物品へ移行するようになされている。
【０００６】
また特許文献２には、液透過性の表面シート、吸収コア、及び液透過性の外面シートを順次積層してなり、該外面シートの外面に、該外面の略全域を覆う液不透過性のバックシートが剥離可能に接合されている尿取りパッドが記載されている。特許文献２に記載の尿取りパッドは、例えば短時間に尿取りパッドを交換できるときは、前記バックシートを付けたまま使用でき、例えば夜間等のように長時間介護できないときは、前記バックシートを剥がして使用できるようになされている。
【０００７】
また特許文献３には、表面シート、裏面シート及び両シート間に介在された吸収体を具備し、該裏面シートは、一面側が疎水性、他面側が親水性で、且つ親水性を有する該他面側が該吸収体と対向するように配置されている補助吸収性物品が記載されている。
【先行技術文献】
【特許文献】
【０００８】
【特許文献１】特開２００１−７０３４１号公報
【特許文献２】特開平１１−２６７１４５公報
【特許文献３】特開２００７−１３５７９０号公報
【発明の概要】
【発明が解決しようとする課題】
【０００９】
特許文献１に記載の使い捨て補助パッドは、尿が通過可能な孔が、該パッドの略中央部に位置する、着用者の排泄部位と対向する部分（排尿ポイント）の裏面シートに形成されているため、該排泄部位から該補助吸収性物品に向けて排泄された尿は、着用時の体圧等により、該補助パッド内に留まらずに該孔を通じてその下の吸収性物品へ移行しやすい。そのため、補助パッドに液を吸収保持する余地が十分に残されているにもかかわらず、尿が使い捨ておむつ等の吸収性物品に移行し、排泄された尿が少量にもかかわらず使い捨ておむつを汚してしまう場合がある。
【００１０】
特許文献２に記載の尿取りパッドは、使用状況に応じてバックシートを剥離する必要があるため、その手間がかかり、また、剥離したバックシートはゴミとなってしまう。また、短時間で尿取りパッドを交換できると考えて、バックシートを接合した状態で尿取りパッドを使い捨ておむつに装着しても、予定通りに尿取りパッドを交換できない場合には、尿漏れが起きるおそれがある。逆に、長時間に亘り尿取りパッドを交換できないと考えて、バックシートを剥離した状態で尿取りパッドを使い捨ておむつに装着した場合、排泄された尿は該尿取りパッド内に留まりにくく、該尿取りパッドの下に配置された使い捨ておむつに移行し易いため、排泄される尿が少量にもかかわらず、排尿ポイントを中心に使い捨ておむつを汚してしまう場合もある。
【００１１】
特許文献３に記載の補助吸収性物品は、裏面シートにおける吸収体との対向面の全面が一定の通液性を有しているため、排泄された尿が少量にもかかわらず、排尿ポイントを中心に使い捨ておむつを汚してしまう場合がある。
【００１２】
前述したように、従来の吸収性パッドは、吸収性物品と重ねて使用した場合に、排泄された尿が少量にもかかわらず、尿を保持せずに吸収性物品へ移行させてしまいやすく、該吸収性パッドが本来有している液吸収保持能を十分に活用することができなかった。吸収性物品の交換頻度の低減、吸収性物品による尿の吸収補助といった、吸収性パッドに求められる作用効果を奏し、併用される吸収性物品を有効に利用できる吸収性パッドは未だ提供されていない。
【００１３】
従って本発明の課題は、併用される吸収性物品を有効に利用できる吸収性パッドを提供することにある。
【課題を解決するための手段】
【００１４】
本発明は、吸収体及び該吸収体の非肌当接面側に配された液不透過性の裏面シートを具備し、別体の吸収性物品の肌当接面側に配置されて使用される吸収性パッドであって、前方部、中央部及び後方部を長手方向に有し、前記裏面シートを厚み方向に貫通する通液孔が、該前方部及び／又は該後方部に形成され、該中央部には形成されていない吸収性パッドを提供することにより、前記課題を解決したものである。
【発明の効果】
【００１５】
本発明の吸収性パッドによれば、使い捨ておむつ等の吸収性物品と重ねて使用した場合に、尿等の液が該吸収性パッド内にある程度溜まってから吸収性物品へ移行するため、吸収性物品の交換頻度の低減が図られ、吸収性物品を有効に利用することができ、漏れを起こし難い。
【図面の簡単な説明】
【００１６】
【図１】図１は、本発明の吸収性パッドの第１実施形態の肌当接面側（表面シート側）を模式的に示す平面図である。
【図２】図２は、図１のＩ−Ｉ線断面を模式的に示す断面図である。
【図３】図３は、図１のＩＩ−ＩＩ線断面を模式的に示す断面図である。
【図４】図４は、図１に示す吸収性パッドにおける、裏面シートと第２の裏面シートとの間の接着剤塗布部の配置パターンを模式的に示す平面図である。
【図５】図５は、図１に示す吸収性パッドの使用形態を模式的に示す断面図である。
【図６】図６は、本発明の吸収性パッドの第２実施形態の図２相当図である。
【図７】図７は、本発明の吸収性パッドの第２実施形態の図３相当図である。
【図８】図８は、本発明の吸収性パッドの第３実施形態の図３相当図である。
【発明を実施するための形態】
【００１７】
以下、本発明の吸収性パッドをその好ましい実施形態に基づき図面を参照しながら説明する。図１〜図５には、本発明の吸収性パッドの第１実施形態が示されている。第１実施形態の吸収性パッド１は、図１〜図３に示すように、液透過性の表面シート２と、該表面シート２の非肌当接面側に配された液保持性の吸収体３と、該吸収体３の非肌当接面側に配された液不透過性の裏面シート４とを具備しており、平面視において矩形形状をしている。
【００１８】
図１に示すように、吸収体３は、平面視において矩形形状をしており、また表面シート２及び裏面シート４も、吸収体３の形状に即して矩形形状をしている。吸収体３は、その長手方向をパッド長手方向（図１中、符合Ｘで示す方向）と一致させて、パッド幅方向（図１中、符合Ｙで示す方向）の中央部において、表面シート２と裏面シート４との間に挟持固定されている。表面シート２及び裏面シート４はそれぞれ、吸収体３の周縁よりも外方に延出している延出部を有しており、その延出部において表面シート２と裏面シート４とが接着剤やヒートシール等により接合されている。
【００１９】
尚、本明細書において、「肌当接面側」は、吸収性パッド、吸収性物品又はそれらの構成部材における、着用時に着用者の肌側に向けられる面であり、「非肌当接面側」は、着用時に該肌当接面とは反対側に向けられる面である。また、「長手方向」は、吸収性パッド、吸収性物品又はそれらの構成部材の長辺方向に沿う方向であり、「幅方向」は、該長手方向と直交する方向である。「パッド長手方向」は、吸収性パッドの長手方向、「パッド幅方向」は、該長手方向と直交する方向である。
【００２０】
吸収性パッド１は、図１に示すように、前方部Ａ、中央部Ｂ及び後方部Ｃを長手方向に有している。前方部Ａはパッド着用時に着用者の腹側に位置する部位、中央部Ｂは着用者の股下に位置する部位、後方部Ｃは着用者の背側に位置する部位である。各部Ａ〜Ｃは、吸収性パッド１を長手方向に３等分した場合の各部分に相当する。
【００２１】
吸収性パッド１の長手方向の両側には、一対の立体ギャザー５，５が設けられている。立体ギャザー５は、図２に示すように、吸収性パッド１の肌当接面側（表面シート２）にパッド長手方向Ｘに沿って起立する基壁部５１と、該基壁部５１の上端部に位置し且つ着用時に着用者の肌に当接する弾性伸縮部５２とを含んで構成されている。弾性伸縮部５２には、パッド長手方向Ｘに沿って１本又は複数本（第１実施形態では１本）の弾性部材６が伸長状態で固定されることによって、弾性伸縮性が付与されている。立体ギャザー５（弾性伸縮部５２）の伸縮方向は、パッド長手方向Ｘに一致している。弾性部材６は、少なくとも中央部Ｂに配されており、更に前方部Ａ及び／又は後方部Ｃ側にも延びて配されていることが好ましい。
【００２２】
立体ギャザー５は、立体ギャザー形成用シート７を主体として構成されている。シート７は、パッド長手方向Ｘに亘って一定の幅を有するシートであり、パッド長手方向Ｘの全長に亘って配されている。シート７は、図２に示すように、基壁部５１の上端部に弾性伸縮部５２が位置している形状を有するように折り返されている。基壁部５１の下端部は、接着剤等の公知の接合手段によって、表面シート２の肌当接面側に接合されており、その接合部が、立体ギャザー５の立ち上がり基端部となっている。
【００２３】
また立体ギャザー５は、パッド長手方向Ｘの前端部及び後端部それぞれに、弾性伸縮部５２が吸収性パッド１の肌当接面側（表面シート２）に接合されている弾性伸縮部固定部５３を有している。弾性伸縮部固定部５３においては、弾性伸縮部５２が表面シート２に接合されていることで基壁部５１の起立が阻害されているため、立体ギャザー５は起立しない。つまり、立体ギャザー５は、弾性伸縮部固定部５３が形成されている、パッド長手方向Ｘの前端部（前端１ｆ及びその近傍）及び後端部（後端１ｂ及びその近傍）それぞれにおいては起立しておらず、弾性伸縮部固定部５３が形成されていない、中央部Ｂ並びに前方部Ａ及び後方部Ｃそれぞれの該中央部Ｂ寄りの領域においては、弾性部材６による収縮力によって起立している。
【００２４】
第１実施形態においては、図１〜図３に示すように、後方部Ｃの裏面シート４に、該裏面シート４を厚み方向に貫通する通液孔４１が形成されており、前方部Ａ及び中央部Ｂには通液孔４１は形成されていない。詳細には、後方部Ｃの裏面シート４におけるパッド長手方向Ｘの両側に、一対の通液孔４１，４１が形成されている。一対の通液孔４１，４１は、吸収性パッド１を幅方向に二分する仮想直線（図示せず）を挟んで左右対称位置に形成されている。各通液孔４１は、平面視において角が丸みを帯びた略矩形形状をしており、その長手方向をパッド幅方向Ｙに一致させて形成されている。通液孔４１は、図５に示す如く、吸収性パッド１を別体の吸収性物品９０の肌当接面側に配置して使用した場合に、尿等の液が吸収体３から下方の吸収性物品９０へ移行する際の導液路として機能する。裏面シート４は液不透過性であるため、通液孔４１は、裏面シート４において実質的に唯一の導液路である。
【００２５】
このように後方部Ｃに通液孔４１が形成されていることにより、例えば特許文献１に記載の使い捨て補助パッドのように、着用者の排泄部位と対向する部分（排尿ポイント）が含まれる、中央部Ｂに通液孔４１が形成されている場合に比して、排尿ポイントから通液孔４１までの距離が長いため、排泄された尿等の液が通液孔４１に到達し難く、その分、吸収体３内に液が保持され易くなる。これにより、吸収性パッド１が本来有している液吸収保持能が十分に活用されるようになり、併用される吸収性物品の交換サイクルが長くなる等、吸収性物品を有効に利用することが可能となる。通液孔４１による斯かる効果をより確実に奏させるようにする観点から、通液孔４１は吸収性パッド１の後端１ｂから１５０ｍｍ以内、特に１００ｍｍ以内に形成されていることが好ましい。
【００２６】
また同様の観点から、通液孔４１は、図１に示すように、パッド幅方向Ｙの端部又はその近傍に形成されていることが好ましく、より具体的には、吸収性パッド１の長手方向に沿った側縁（パッド幅方向の一端）１ｓから１００ｍｍ以内、特に７０ｍｍ以内に形成されていることが好ましい。このように通液孔４１が吸収性パッド１の側部に偏在していることにより、例えば通液孔４１がパッド幅方向Ｙの中央部に形成されている場合に比して、前記排尿ポイントから通液孔４１までの距離が長くなるため、吸収性パッド１の液吸収保持能を十分に活用し易くなる。
【００２７】
また通液孔４１は、図１に示すように、弾性伸縮部固定部５３よりもパッド長手方向Ｘの内方に形成されていることが好ましい。弾性伸縮部固定部５３は前述したように立体ギャザー５が起立しない部分であり、通液孔４１が弾性伸縮部固定部５３よりもパッド長手方向Ｘの内方に形成されている、換言すれば、通液孔４１がパッド長手方向Ｘにおいて立体ギャザー５が起立可能な部分に形成されていることにより、起立した立体ギャザー５で堰き止められた尿等の液を、通液孔４１を介して外部へ移行させることが可能となり、漏れが効果的に防止される。
【００２８】
図２に示すように、吸収体３と裏面シート４との間における、通液孔４１に対応する部分（通液孔４１の真上に位置する部分）以外の部分の全域には、接着剤１１が塗布されており、該接着剤１１を介して吸収体３と裏面シート４とが接合されている。吸収体３と裏面シート４との間を接合する際には、通液孔４１が接着剤で完全には塞がれないようにすることが不可欠であり、斯かる観点から第１実施形態においては、通液孔４１に対応する部分には接着剤１１が塗布されていない。このように、少なくとも裏面シート４における通液孔４１の周辺部（好ましくは通液孔４１から１０ｍｍ以内の部分）が吸収体３に接合されていることにより、通液孔４１が所望の位置（例えば後方部Ｃの側部）に固定され、前述した効果がより確実に奏されるようになる。尚、吸収体３と裏面シート４との間の接合方法としては、前述した接着剤を用いる方法以外の方法を用いることもでき、例えば、通常固定のスパイラル塗工やスロット塗工やビード塗工の粘着材を用いる方法でも良く、熱固定のヒートシール等でも良い。
【００２９】
第１実施形態においては、図２及び図３に示すように、裏面シート４の非肌当接面側に液不透過性の第２の裏面シート８が配置されており、該第２の裏面シート８によって通液孔４１が厚み方向に関して覆われている。第２の裏面シート８は、裏面シート４と同様に吸収体３よりも幅広のシートで、後方部Ｃに配置されており、中央部Ｂ及び前方部Ａには配置されていない。連続した第２の裏面シート８のパッド長手方向Ｘの後端８ｂは、吸収性パッド１の長手方向後端１ｂと略同位置にあり、前端８ｆは、通液孔４１よりもパッド長手方向Ｘの内方に位置している。そして、後で詳述するように、裏面シート４と第２の裏面シート８との間には、両裏面シート４，８間が接合されていない非接合部１２が形成されており、非接合部１２は、通液孔４１に対応する部分（通液孔４１と厚み方向において重なる部分の少なくとも一部）と第２の裏面シート８のパッド長手方向Ｘの一方の端部（前端８ｆ）との間に亘って連続しており、斯かる構成により、尿等の液が、通液孔４１から非接合部１２を通って第２の裏面シート８の前端８ｆからパッド外部へと放出され得るようになされている。
【００３０】
このように、裏面シート４において実質的に唯一の導液路である、通液孔４１が、その厚み方向に関して第２の裏面シート８によって覆われて閉塞していることにより、通液孔４１が閉塞していない場合に比して、尿等の液が通液孔４１を介して外部へ移行し難くなるため、例えば着用時において吸収性パッド１に少々の体圧がかかった程度では、通液孔４１を介して液が外部へ移行し難い。従って、通液孔４１が第２の裏面シート８で覆われていることによって、吸収体３中に保持される液の量が増大し、吸収性パッド１の液吸収保持能を有効に活用することが可能となり、また、吸収体３に吸収性ポリマーが含まれている場合には、吸収性ポリマーの脱落が効果的に防止される。
【００３１】
このような、通液孔４１を第２の裏面シート８で覆うことによる効果をより確実に奏させるようにする観点から、第２の裏面シート８のパッド長手方向Ｘの前端８ｆは、通液孔４１よりもパッド長手方向Ｘの内方に位置していることが好ましく、通液孔４１と前端８ｆとの間の距離（第２の裏面シート８における、通液孔４１よりもパッド長手方向Ｘの内方に延出している延出部のパッド長手方向Ｘに沿った長さ）Ｔ（図３及び図４参照）は、好ましくは５ｍｍ以上、更に好ましくは１０〜５０ｍｍである。
【００３２】
第１実施形態においては、図２に示すように、裏面シート４と第２の裏面シート８との間における、通液孔４１に対応する部分及びその周辺部には、パッド長手方向Ｘに延びる帯状の、両裏面シート４，８の接合部である接着剤塗布部９が、パッド幅方向Ｙに所定間隔を置いて複数配置されている。ここで、「裏面シートと第２の裏面シートとの間における、通液孔に対応する部分及びその周辺部」とは、裏面シート４と第２の裏面シート８との間において、通液孔４１の真下に位置する部分（通液孔４１に対応する部分）、及び該部分の端部（通液孔の端部に対応する部分）から２０ｍｍ以内（好ましくは１０ｍｍ以内）の部分（通液孔４１に対応する部分の周辺部）である。第１実施形態においては、裏面シート４と第２の裏面シート８との間において、通液孔４１に対応する部分及びその周辺部のみならず、吸収体３に対応する部分の略全域に、接着剤塗布部９が所定のパターンで配置されている。裏面シート４と第２の裏面シート８とは、接着剤塗布部９において接合されている。尚、第１実施形態では両裏面シート４，８の接合部として接着剤塗布部を開示したが、該接合部は、例えばヒートシール等、別の接合方法によって形成されたものであっても良い。
【００３３】
図４には、接着剤塗布部９の配置パターンが示されている。尚、図４は、本発明に係る接着剤塗布部の配置パターンの一例であり、図２で模式的に示した第１実施形態における接着剤塗布部の配置パターンとは必ずしも一致しない。図４に示すように、裏面シート４と第２の裏面シート８との間には、接着剤塗布部９に加えて、パッド幅方向Ｙに延びる帯状の、両裏面シート４，８の第２の接合部である第２の接着剤塗布部１０が配置されており、接着剤塗布部９は、第２の接着剤塗布部１０を起点としてパッド長手方向Ｘに延びている。第２の接着剤塗布部１０は、通液孔４１よりもパッド幅方向Ｙの長さが長くなっている。
【００３４】
第２の接着剤塗布部１０は、通液孔４１を基準として、パッド長手方向Ｘの外方又は内方の何れか一方に配置されることが好ましい。第２の接着剤塗布部１０をこのように配置することによって、通液孔４１を通過した液が、後述する非接合部１２を通って第２の裏面シート８の、第２の接着剤塗布部１０が配置されていない前端８ｆからパッド外部へと放出され易くなり、下方に配置された別体の吸収性物品へ移行し易くなる。第１実施形態においては、第２の接着剤塗布部１０は、通液孔４１よりもパッド長手方向Ｘの外方に配置されている。より具体的には、第２の接着剤塗布部１０は、図４に示すように、第２の裏面シート８のパッド長手方向Ｘの後端部に、そのパッド幅方向Ｙに沿った一側縁を、該シート８のパッド長手方向Ｘの後端８ｂに一致させて配置されている。そして、複数の接着剤塗布部９は、それぞれ、第２の接着剤塗布部１０を起点（後端）としてパッド長手方向Ｘの内方に向かって延び、通液孔４１を超えて第２の裏面シート８のパッド長手方向Ｘの前端８ｆに達して、接着剤塗布部９の前端となされている。また、通液孔４１よりもパッド幅方向Ｙの外方には、他の接着剤塗布部９よりも幅広の接着剤塗布部９ａが配置されている。このように配置することにより、尿がパッド１の長手方向後端１ｂから漏れにくく、しかも、非接合部１２を通って第２の裏面シート８の前端８ｆからパッド外部へと確実に放出され易くなる。
【００３５】
また、図４に示すように、一対の接着剤塗布部９ａ，９ａ間には、接着剤塗布部９と、接着剤が塗布されておらず裏面シート４と第２の裏面シート８とが接合されていない非接合部１２とが、パッド幅方向Ｙに交互に配置されている。非接合部１２は、接着剤塗布部９と同様に、平面視においてパッド長手方向Ｘに延びる帯状をしている。前述したように非接合部１２は、通液孔４１を介して裏面シート４と第２の裏面シート８との間に移行してきた、尿等の液の導液路として機能するもので、そのパッド長手方向Ｘの後端は、第２の接着剤塗布部１０によって閉塞されており、前端のみが開口している。従って、通液孔４１を介して裏面シート４と第２の裏面シート８との間に移行してきた液は、非接合部１２を通り、非接合部１２のパッド長手方向Ｘの前端（第２の裏面シート８の前端８ｆ）を介して外部（吸収性パッド１と併用されている吸収性物品）へ移行する。
【００３６】
吸収性パッド１の各部の寸法等は適宜設定することができるが、特に下記範囲にあることが好ましい。
通液孔４１のパッド長手方向Ｘの長さＬ１（図４参照）は、好ましくは５〜３０ｍｍ、更に好ましくは１０〜２０ｍｍであり、パッド幅方向Ｙの長さＬ２（図１及び図４参照参照）は、好ましくは１０〜７０ｍｍ、更に好ましくは２０〜５０ｍｍである。
接着剤塗布部９のパッド長手方向Ｘの長さＬ３（図４参照）は、好ましくは７０〜１８０ｍｍ、更に好ましくは１００〜１６０ｍｍであり、パッド幅方向Ｙの長さＬ４（図４参照）は、好ましくは２〜２０ｍｍ、更に好ましくは５〜１５ｍｍである。
第２の接着剤塗布部１０のパッド長手方向Ｘの長さＬ５（図４参照）は、好ましくは５〜４０ｍｍ、更に好ましくは１０〜２０ｍｍであり、パッド幅方向Ｙの長さＬ６（図４参照）は、好ましくは１３０〜３００ｍｍ、更に好ましくは１５０〜２５０ｍｍである。
非接合部１２のパッド幅方向Ｙの長さ（隣接する接着剤塗布部９，９の間隔）Ｌ７（図４参照）は、好ましくは５〜３０ｍｍ、更に好ましくは１０〜２０ｍｍである。
【００３７】
吸収性パッド１の構成部材について説明すると、表面シート２としては、当該技術分野において従来用いられている各種のものを用いることができ、尿等の液体を透過させることができるものであれば制限はなく、例えば、合成繊維又は天然繊維からなる織布や不織布、多孔性シート等が挙げられる。表面シート２の一例として、親水性不織布が挙げられる。該親水性不織布としては、親水化処理されたサーマルボンド不織布、スパンボンド不織布、スパンボンド−メルトブローン−スパンボンド不織布（ＳＭＳ）不織布等を用いることができる。表面シート２の坪量は、好ましくは１５〜３０ｇ／ｍ2である。
【００３８】
吸収体３としては、当該技術分野において従来用いられている各種のものを用いることができ、例えば、パルプ繊維等の繊維集合体に必要に応じ吸収性ポリマーを含有させてなる吸収性コア；繊維を主体とする２枚の繊維シート間に吸収性ポリマーを主体とする層を介在配置してなる吸収性コア；これらの吸収性コアをティッシュペーパー等の紙や各種不織布等の被覆シートで被覆したもの等が挙げられる。吸収体３の坪量は、好ましくは１５０〜５００ｇ／ｍ2である。
【００３９】
裏面シート４及び第２の裏面シート８としては、それぞれ、当該技術分野において従来用いられている液不透過性のものを用いることができ、例えば、ポリエチレンフィルム等の樹脂製フィルム；撥水不織布等の不織布；樹脂製フィルムと不織布との積層体；耐水圧の高い不織布等が挙げられる。これらの中でも特に、樹脂製フィルムが好ましい。裏面シート４及び第２の裏面シート８の坪量は、それぞれ、好ましくは１５〜３０ｇ／ｍ2である。裏面シート４と第２の裏面シート８とは、同じものであっても良く、材質、坪量等が異なっていても良い。
【００４０】
立体ギャザー形成用シート材７としては、裏面シート４（第２の裏面シート８）と同様のものを用いることができる。また、立体ギャザー５を構成する弾性部材６としては、例えば、ポリオレフィン類、ポリウレタン類及びこれらの共重合体、又は天然ゴム等からなる弾性材料等を用いることができる。
【００４１】
接着剤塗布部９，１０を構成する接着剤、及び吸収体３と裏面シート４との間に塗布される接着剤１１としては、それぞれ、当該技術分野においてシートどうしの貼り合わせ等に従来用いられているものを用いることができ、例えばホットメルト接着剤を用いることができる。
【００４２】
吸収性パッド１は、図５に示すように、別体の吸収性物品としての使い捨ておむつ９０の肌当接面側に配置して使用することができる。吸収性パッド１と併用される使い捨ておむつ９０は、液透過性の表面シート９１、液不透過性の裏面シート９２、及び両シート９１，９２間に介在された吸収体９３を具備しており、実質的に縦長である。使い捨ておむつ９０の肌当接面側の両側には、弾性部材を有する一対の立体ギャザー９４，９４が設けられており、また、吸収体９３の幅方向外方には、弾性部材を有する一対のレッグフラップ部９５，９５が設けられている。
【００４３】
第１実施形態の吸収性パッド１は、前述したように、通液孔４１が前記排尿ポイントから比較的遠い後方部Ｃの所定位置に形成されていると共に、通液孔４１が液不透過性の第２の裏面シート８によって覆われて閉塞しているため、図５に示す如き使用形態において、尿等の液が吸収性パッド１内にある程度溜まってから使い捨ておむつ９０へ移行するようになり、これにより、吸収性物品の交換頻度の低減が図られ、吸収性物品を有効に利用することができ、漏れを起こし難い。また、第１実施形態の吸収性パッド１においては、裏面シート４と第２の裏面シート８との間に、接着剤塗布部９，１０が図４に示す如きパターンで配置されているため、通液孔４１を介して両シート４，８間に移行してきた液は、パッド幅方向Ｙに流れて吸収性パッド１の側縁１ｓから漏れ出したり、吸収性パッド１の長手方向後端１ｂから漏れ出したりすることなく、パッド長手方向Ｘに延びる非接合部１２を通って速やかに使い捨ておむつ９０へ移行する。
【００４４】
以下に、本発明の吸収性パッドの他の実施形態について図６〜図８を参照して説明する。後述する他の実施形態については、前述した第１実施形態と異なる構成部分を主として説明し、同様の構成部分は同一の符号を付して説明を省略する。特に説明しない構成部分は、第１実施形態についての説明が適宜適用される。
【００４５】
図６及び図７には、本発明の吸収性パッドの第２実施形態が示されている。第２実施形態の吸収性パッド１は、吸収体３における通液孔４１に対応する部分に、該吸収体３を厚み方向に貫通する孔３１が形成されている点以外は、第１実施形態の吸収性パット１と同じである。孔３１の寸法及び形状は、通液孔４１と同様にすることができる。吸収体３にこのような孔３１が形成されていることにより、液を通液孔４１に導き易くするという効果が奏される。第２実施形態によっても第１実施形態と同様の効果が奏される。
【００４６】
図８には、本発明の吸収性パッドの第３実施形態が示されている。第３実施形態の吸収性パッド１において、裏面シート４は、通液孔４１よりも吸収性パッド１の長手方向後端１ｂ寄りに、その非肌当接面側が第２の裏面シート８で被覆されていない非被覆部４５を有しており、該非被覆部４５の非肌当接面側に、吸収性パッド１を別体の吸収性物品（図示せず）に固定する固定部１５が配置されている。
【００４７】
第３実施形態における第２の裏面シート８は、裏面シート４と同様に吸収体３よりも幅広のシートで、主として後方部Ｃに配置されており、そのパッド長手方向Ｘの後端８ｂは、通液孔４１と吸収性パッド１の長手方向後端１ｂとの間に位置しており、前端８ｆは、後方部Ｃと中央部Ｂとの境界近傍に位置している。非被覆部４５は、第２の裏面シート８の後端８ｂと吸収性パッド１の後端１ｂとの間に位置しており、吸収性パッド１の全幅に亘っている。尚、前端８ｆは吸収性パッド１の長手方向前端１ｆと略同位置にあっても良く、即ち、第２の裏面シート８は、前方部Ａから中央部Ｂを跨いで後方部Ｃの一部に亘って連続的に配置されていても良い。
【００４８】
第３実施形態において、裏面シート４と第２の裏面シート８との間は、接着剤塗布部９（図８では図示せず）及び第２の接着剤塗布部１０によって接合されている。第３実施形態における接着剤塗布部９，１０の配置パターンは、第２の接着剤塗布部１０が通液孔４１よりもパッド長手方向Ｘの内方に配置されている点以外は、図４に示す配置パターンと実質的に同じである。即ち、第３実施形態における第２の接着剤塗布部１０は、第２の裏面シート８のパッド長手方向Ｘの前端部に、そのパッド幅方向Ｙに沿った一側縁を、該シート８のパッド長手方向Ｘの前端８ｆに一致させて配置されており、複数の接着剤塗布部９は、それぞれ、第２の接着剤塗布部１０を起点としてパッド長手方向Ｘの外方に向かって延び、通液孔４１を超えて第２の裏面シート８のパッド長手方向Ｘの後端８ｂに達している。
【００４９】
固定部１５は、パッド幅方向Ｙ（図８では図示せず）に延びる帯状をしており、そのパッド幅方向Ｙの長さは、第２の裏面シート８のパッド幅方向Ｙの長さと同じかそれよりも長くなっており、第２の接着剤塗布部１０のパッド幅方向Ｙの長さと略同じである。固定部１５のパッド長手方向Ｘの長さＬ８は、好ましくは１０〜５０ｍｍ、更に好ましくは２０〜４０ｍｍである。固定部１５は、ホットメルト接着剤等の接着剤を塗布することによって形成することができる。
【００５０】
第３実施形態において、通液孔４１を介して裏面シート４と第２の裏面シート８との間に移行してきた、尿等の液は、接着剤塗布部９，１０及び固定部１５によって画成された空間内の非接合部１２（図８では図示せず）を介して、速やかに外部へ移行する。第３実施形態によっても第１実施形態と同様の効果が奏される。
【００５１】
以上、本発明をその好ましい実施形態に基づき説明したが、本発明は前記実施形態に制限されない。例えば、通液孔４１は、中央部Ｂに形成されていなければ良く、後方部Ｃではなくて前方部Ａに形成されていても良く、前方部Ａ及び後方部Ｃの両方に形成されていても良い。また、通液孔４１の平面視における形状は、図１及び図４に示す略矩形形状に制限されず、例えば、円形状や楕円形状や三角形状や半円形状等にすることができ、また、その個数も特に制限されない。また、立体ギャザー５は無くても構わない。また、第１及び第２実施形態の吸収性パッドは、それぞれその非肌当接面側に、該吸収性パッドを別体の吸収性物品に固定する固定部を有していても良い。
【００５２】
また、本発明の吸収性パッドと併用可能な吸収性物品は、図５に示す如き構成の使い捨ておむつに制限されず、立体ギャザーを有していない使い捨ておむつ、失禁パッド、尿取りパッド、ペット用おむつ、ペット用シーツ等にも適用できる。
【符号の説明】
【００５３】
１  吸収性パッド
２  表面シート
３  吸収体
４  裏面シート
５  立体ギャザー
８  第２の裏面シート
９  接着剤塗布部（接合部）
１０  第２の接着剤塗布部（第２の接合部）
１１  接着剤
１２  非接合部
１５  固定部
４１  通液孔
４５  非被覆部
５１  基壁部
５２  弾性伸縮部
９０  使い捨ておむつ（吸収性パッドと併用される吸収性物品）
Ａ  前方部
Ｂ  中央部
Ｃ  後方部
【図１】
0005394151.tif 000002
【図２】
0005394151.tif 000003
【図３】
0005394151.tif 000004
【図４】
0005394151.tif 000005
【図５】
0005394151.tif 000006
【図６】
0005394151.tif 000007
【図７】
0005394151.tif 000008
【図８】
0005394151.tif 000009